(57)【要約】【課題】移動通信システムにおいて、セル間干渉を制御すること。上りリンク資源のスケジューリングを行うこと。【解決手段】第１基地局２と通信可能なセルにいる、測定の対象に選択された移動局１に上りリンク信号用として第１無線周波数帯域を割り当てる。第１無線周波数帯域と異なる第２無線周波数帯域の信号を送受信する第２基地局３は、第１無線周波数帯域の信号を受信し、その受信状態を制御装置４へ通知する。制御装置４は、第２基地局３からの通知に基づいて移動局１の上りリンクを制御する情報を第１基地局２へ通知する。第１基地局２は、制御装置４からの通知に基づいて移動局１の送信電力を制御する。また、第１基地局２は、移動局１の送信電力を制御した後の上りリンク信号の受信状態を予測し、その予測に基づいて移動局１の上りリンク信号の変調方式、符号化率、または同一無線周波数帯域を再使用する場合の間隔を決定する。【選択図】図１
2010161645.tif 000002
【特許請求の範囲】
【請求項１】
基地局として用いられる無線通信装置において、
該無線通信装置に隣接する他の無線通信装置の配下の端末から送信された所定の無線周波数帯域の信号を受信し、受信状態を検出する受信部と、
前記端末から送信される前記所定の無線周波数帯域の信号の送信電力制御を行う装置に対して、該受信状態を通知する通知部と、
を備えたことを特徴とする無線通信装置。
【請求項２】
前記端末から送信される前記所定の無線周波数帯域の信号の送信電力制御を行う前記装置から通知される情報に基づいて前記端末の送信電力を制御する制御部、をさらに備え、
該制御部は、前記端末の送信電力を制御した後の前記端末の上りリンク信号の受信状態を予測し、該予測に基づいて前記端末の上りリンク信号の変調方式および符号化率、並びに同一無線周波数帯域を再使用する場合の間隔を決定することを特徴とする請求項１に記載の無線通信装置。
【請求項３】
第１無線周波数帯域の信号を受信する第１基地局と、前記第１無線周波数帯域と異なる第２無線周波数帯域の信号を送受信する第２基地局と、を制御する制御装置において、
上りリンク信号の周波数帯域として前記第１無線周波数帯域が割り当てられる移動局を選択する選択部と、
前記第２基地局が前記第１無線周波数帯域の信号を受信したときの受信状態に関する情報を前記第２基地局から受信する受信部と、
前記受信部で受信された前記情報に基づいて前記移動局の上りリンクを制御する制御部と、
前記移動局の上りリンクを制御する情報を前記第１基地局へ送信する送信部と、
を備えたことを特徴とする制御装置。
【請求項４】
第１無線周波数帯域の上りリンク信号を送信する移動局と、
前記第１無線周波数帯域の上りリンク信号を受信する第１基地局と、
前記第１無線周波数帯域と異なる第２無線周波数帯域の信号を送受信する第２基地局と、
前記第１基地局および前記第２基地局を制御する制御装置と、を備え、
前記第２基地局は、前記第１無線周波数帯域の信号の受信状態を前記制御装置へ通知し、
前記第１基地局は、前記制御装置から通知される情報に基づいて前記移動局の上りリンクを制御することを特徴とする移動通信システム。
【請求項５】
前記第１基地局は、前記制御装置から通知される情報に基づいて前記移動局の送信電力を制御することを特徴とする請求項４に記載の移動通信システム。
【請求項６】
前記第１基地局は、前記移動局の送信電力を制御した後の前記移動局の上りリンク信号の受信状態を予測し、該予測に基づいて前記移動局の上りリンク信号の変調方式および符号化率、並びに同一無線周波数帯域を再使用する場合の間隔を決定することを特徴とする請求項５に記載の移動通信システム。
【請求項７】
移動局に第１無線周波数帯域を割り当てる第１ステップと、
前記移動局から第１基地局へ前記第１無線周波数帯域の上りリンク信号を送信する第２ステップと、
前記第１無線周波数帯域と異なる第２無線周波数帯域の信号を送受信する第２基地局で前記第１無線周波数帯域の信号を受信する第３ステップと、
前記第２基地局の、前記第１無線周波数帯域の信号の受信状態に基づいて、前記移動局の上りリンクを制御する第４ステップと、
を含むことを特徴とする無線通信方法。
【請求項８】
前記第４ステップでは、前記第２基地局の、前記第１無線周波数帯域の上りリンク信号の受信状態に基づいて、前記移動局の送信電力を制御することを特徴とする請求項７に記載の無線通信方法。
【発明の詳細な説明】
【技術分野】
【０００１】
本発明は、無線通信装置、制御装置、移動通信システムおよび無線通信方法に関する。本発明を、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）を伝送方式とする無線通信装置、制御装置、移動通信システムおよび無線通信方法に適用することもできる。また、本発明を、周波数を再使用するＦＦＲ（Ｆｒａｃｔｉｏｎａｌ  Ｆｒｅｑｕｅｎｃｙ  Ｒｅｕｓｅ）方式の無線通信装置、制御装置、移動通信システムおよび無線通信方法に適用することもできる。
【背景技術】
【０００２】
従来、移動通信システムのセル間干渉を制御する方法が知られている。この方法は、移動通信基地局の無線アンテナを介してアップリンク信号を受信し、受信されたアップリンク信号からセル間干渉量情報を抽出する段階と、セル間干渉量情報に基づいてアップリンク制御情報を生成する段階と、生成されたアップリンク制御情報を隣接セルに位置した移動通信端末機に送信する段階とを含み、前記端末機は、アップリンク制御情報を参照してアップリンク資源をスケジューリングすることを特徴とする（例えば、特許文献１参照。）。
【０００３】
また、セルラー通信システムにおける上りリンク資源のスケジューリング方法が知られている。この方法は、各移動局毎の隣接セルに対するセル間干渉が最も強い少なくとも一つの隣接セルの基地局を見出して、上りリンク方向におけるセル間干渉値を計算するステップと、セル間干渉値に基づいて本セル内の移動局全体をグルーピングするステップと、移動局グルーピング状況に応じてサブキャリアをグルーピングして、各グループ毎の移動局を１グループのキャリアに対応付けるステップと、各グループ毎のサブキャリアを、グループのサブキャリアに対応付けされた特定の移動局グルーピングに含まれる移動局に割当てるステップと、各移動局のサブキャリアに取得可能な信号対雑音干渉電力比を計算し、マルチ移動局資源スケジューリングアルゴリズムを実行するステップとを含む（例えば、特許文献２参照。）。
【先行技術文献】
【特許文献】
【０００４】
【特許文献１】特開２００８−６１２５０号公報
【特許文献２】特開２００８−１１８６５６号公報
【発明の概要】
【発明が解決しようとする課題】
【０００５】
しかしながら、セル間干渉を制御する従来の方法では、特定の移動通信端末機（移動局）の干渉量を求める構成が不明であるため、特定の移動局の干渉量を求めることができない。また、各移動局のスケジューリングの内容が不明であるため、各移動局のスケジューリングを行うことができない。一方、従来の上りリンク資源のスケジューリング方法では、隣接セルのパイロット信号の強さに基づいて隣接セルの基地局に対する上りリンク方向のセル間干渉値を計算するため、隣接セルに対する上りリンク方向の干渉量を正確に求めることができない。そのため、上りリンク資源のスケジューリングを正確に行うことができないという問題点がある。
【０００６】
本発明は、セル間干渉を制御することを目的とする。また、本発明は、上りリンク資源のスケジューリングを行うことを目的とする。
【課題を解決するための手段】
【０００７】
この無線通信装置、制御装置、移動通信システムおよび無線通信方法は、第１基地局と通信可能なセルにいる、測定の対象に選択された移動局に第１基地局への上りリンク信号用として第１無線周波数帯域を割り当てる。第１無線周波数帯域と異なる第２無線周波数帯域の信号を送受信する第２基地局は、第１無線周波数帯域の信号を受信すると、その受信状態を制御装置へ通知する。制御装置は、第２基地局からの通知に基づいて移動局の上りリンクを制御する情報を第１基地局へ通知する。第１基地局は、制御装置からの通知に基づいて測定の対象にされた移動局の送信電力を制御する。また、第１基地局は、測定の対象にされた移動局の送信電力を制御した後の上りリンク信号の受信状態を予測し、その予測に基づいて測定の対象にされた移動局の上りリンク信号の変調方式、符号化率、または同一無線周波数帯域を再使用する場合の間隔を決定する。制御装置は、第１基地局の代わりに、測定の対象にした移動局の上りリンク信号の変調方式、符号化率、または同一無線周波数帯域を再使用する場合の間隔を決定し、その情報を第１基地局へ通知するようにしてもよい。
【発明の効果】
【０００８】
この無線通信装置、制御装置、移動通信システムおよび無線通信方法によれば、セル間干渉を制御することができる。また、上りリンク資源のスケジューリングを行うことができる。
【図面の簡単な説明】
【０００９】
【図１】第１実施例の移動通信システムを示す説明図である。
【図２】第１実施例の無線通信方法を示す説明図である。
【図３】第２実施例の基地局を示す説明図である。
【図４】第２実施例の制御装置を示す説明図である。
【図５】第２実施例の移動局を示す説明図である。
【図６】第２実施例の基地局が第１無線周波数帯域の信号を受信したときの処理手順を示す説明図である。
【図７】第２実施例の制御装置が第１無線周波数帯域の受信状態を取得したときの処理手順を示す説明図である。
【図８】第２実施例の基地局が干渉量を集計した情報を取得したときの処理手順を示す説明図である。
【図９】第２実施例のＭＣＳテーブルの一例を示す説明図である。
【図１０】第２実施例の補正前のプロファイルリストの一例を示す説明図である。
【図１１】第２実施例の補正後のプロファイルリストの一例を示す説明図である。
【図１２】第３実施例の基地局を示す説明図である。
【図１３】第４実施例の制御装置を示す説明図である。
【発明を実施するための形態】
【００１０】
以下に添付図面を参照して、この無線通信装置、制御装置、移動通信システムおよび無線通信方法の好適な実施の形態を詳細に説明する。
【００１１】
（第１実施例）
・移動通信システムの構成
図１は、第１実施例の移動通信システムを示す説明図である。図１に示すように、移動通信システムは、移動局（端末）１、第１基地局２、第２基地局３および制御装置４を備えている。移動局１は、第１基地局２のセル内にいて、第１基地局２と無線で通信する。移動局１には、第１基地局２により、第１基地局２への上りリンク信号用の無線周波数帯域として、第１無線周波数帯域が割り当てられる。第１無線周波数帯域は、第１基地局２または第２基地局３と無線接続する他の移動局（図示せず）には割り当てられない。第２基地局３は、第１基地局２の周辺に配置された基地局である。一般に、第２基地局３は、第１基地局２を囲むように複数配置されている。第２基地局３は、移動局１との無線通信に、第１無線周波数帯域と異なる第２無線周波数帯域を用いる。制御装置４は、第１基地局２および第２基地局３を制御する。制御装置４として、例えばゲートウェイサーバが挙げられる。移動局１、各基地局２，３および制御装置４において、同一名称の構成部には、その名称の末尾にアルファベット（Ａ、Ｂ、ＣまたはＤ）を付加して区別する。
【００１２】
・移動局の構成
移動局１は、送信部Ａ１１、受信部Ａ１２および制御部Ａ１３を備えている。送信部Ａ１１は、第１基地局２宛に第１無線周波数帯域の上りリンク信号を送信する。受信部Ａ１２は、第１基地局２からの下りリンク信号を受信する。この下りリンク信号には、第２基地局３が第１無線周波数帯域の信号を受信したときの受信状態に関する情報が含まれることがある。この受信状態に関する情報には、例えば、第１基地局２宛の上りリンク信号の送信電力や変調方式や符号化率を制御する情報が含まれる。制御部Ａ１３は、この上りリンクを制御する情報に基づいて、例えば、上りリンク信号の送信電力や変調方式や符号化率を制御する。
【００１３】
・第１基地局の構成
第１基地局２は、送信部Ｂ２１、受信部Ｂ２２および制御部Ｂ２３を備えている。送信部Ｂ２１は、移動局１へ下りリンク信号を送信する。受信部Ｂ２２は、移動局１から希望波として第１無線周波数帯域の上りリンク信号を受信する。また、受信部Ｂ２２は、制御装置４から通知された情報を受信する。制御部Ｂ２３は、制御装置４から通知された情報に基づいて移動局１の上りリンクを制御する。上りリンクの制御内容として、例えば、制御装置４から通知される情報に基づいて移動局１の送信電力を制御することが挙げられる。移動局１の送信電力を制御する場合、例えば、制御装置４から移動局１の送信電力の補正値が通知される。
【００１４】
また、上りリンクの制御内容として、移動局１から送信電力が制御された上りリンク信号を受信する際の受信状態を予測し、この予測に基づいて移動局１の上りリンク信号の変調方式および符号化率、並びに同一無線周波数帯域を再使用する場合の間隔を決定することが挙げられる。受信状態の予測内容として、ＣＩＮＲ（Ｃａｒｒｉｅｒ  ｔｏ  Ｉｎｔｅｒｆｅｒｅｎｃｅ  ａｎｄ  Ｎｏｉｓｅ  Ｒａｔｉｏ、搬送波レベル対干渉・雑音比）の予測値を計算することが挙げられる。また、制御部Ｂ２３は、制御装置４から通知された情報に基づいて移動局１への下りリンクを制御してもよい。下りリンクの制御内容として、例えば、移動局１へ送信する下りリンク信号の送信電力を制御することが挙げられる。
【００１５】
・第２基地局の構成
第２基地局３は、送信部Ｃ３１、受信部Ｃ３２および通知部Ｃ３４を備えている。受信部Ｃ３２は、移動局１からの干渉波として第１無線周波数帯域の信号を受信する。受信部Ｃ３２は、第１無線周波数帯域の信号の受信状態を検出する。通知部Ｃ３４は、第１無線周波数帯域の信号の受信状態に関する情報を、送信部Ｃ３１を介して制御装置４へ通知する。このときの受信状態に関する情報として、例えば受信電力が挙げられる。
【００１６】
・制御装置の構成
制御装置４は、送信部Ｄ４１、受信部Ｄ４２、制御部Ｄ４３および選択部Ｄ４５を備えている。受信部Ｄ４２は、第２基地局３から、第２基地局３が第１無線周波数帯域の信号を受信したときの受信状態に関する情報を受信する。制御部Ｄ４３は、第２基地局３からの受信状態に関する情報に基づいて移動局１の上りリンクを制御する。制御部Ｄ４３は、上りリンクの制御内容として、例えば、移動局１の送信電力の補正値を求め、この補正値を送信部Ｄ４１を介して第１基地局２へ送信する。送信電力の補正内容としては、例えば、第２基地局３の第１無線周波数帯域の信号の受信電力が大きい場合に、移動局１の送信電力を小さくすることが挙げられる。また、送信電力の補正内容として、例えば、第２基地局３の第１無線周波数帯域の信号の受信電力が小さい場合に、移動局１の送信電力を大きくすることが挙げられる。
【００１７】
また、制御部Ｄ４３は、第１基地局２の制御部Ｂ２３に代わって、送信電力が制御された移動局１からの上りリンク信号を第１基地局２が受信する場合の受信状態を予測し、この予測に基づいて移動局１の上りリンク信号の変調方式および符号化率、並びに同一無線周波数帯域を再使用する場合の間隔を決定してもよい。この場合には、制御部Ｄ４３は、この決定内容を送信部Ｄ４１を介して第１基地局２へ送信する。第１基地局２は、この決定内容に従って、移動局１の上りリンクを制御する。選択部Ｄ４５は、第１無線周波数帯域を上りリンク信号の周波数帯域として割り当てる移動局１を予め選択し、移動局１を選択したことを送信部Ｄ４１を介して第１基地局２および第２基地局３へ通知する。なお、第１基地局２および第２基地局３以外の第３基地局が制御装置を兼ねていてもよい。
【００１８】
・処理手順
図２は、第１実施例の無線通信方法を示す説明図である。図２に示すように、第１実施例の無線通信方法が開始されると、まず、第１基地局２は、移動局１に上りリンク信号用の無線周波数帯域として第１無線周波数帯域を割り当てる（ステップＳ１）。また、第１基地局２は、第１基地局２のセルに所属する他の移動局との間の無線通信用の周波数帯域として、第１無線周波数帯域以外の帯域を割り当てる。一方、第２基地局３は、第２基地局３のセルに所属する移動局との間の無線通信用の周波数帯域として、第１無線周波数帯域以外の帯域を割り当てる。つまり、第１無線周波数帯域は、移動局からの電波が届き得る範囲では、測定の対象にされた移動局１にだけ割り当てられる。
【００１９】
移動局１は、割り当てられた第１無線周波数帯域を使用して上りリンク信号を送信する（ステップＳ２）。第２基地局３は、この第１無線周波数帯域の信号を干渉波として受信することがある（ステップＳ３）。第２基地局３は、第１無線周波数帯域の信号の受信状態を検出し、該受信状態に関する情報を制御装置４へ通知する。制御装置４は、第２基地局３から通知された情報に基づいて、移動局１の上りリンクを制御する情報を生成して第１基地局２へ送信する。第１基地局２は、制御装置４から通知された情報を受信し、その情報に基づいて移動局１の上りリンクを制御する（ステップＳ４）。また、第１基地局２は、制御装置４から通知された情報に基づいて移動局１への下りリンクを制御し（ステップＳ５）、一連の処理が終了する。なお、下りリンクの制御については、実施しなくてもよい。
【００２０】
第１実施例において、第１無線周波数帯域は予め固定されていてもよいし、その都度、制御装置４や第１基地局２が第１無線周波数帯域を設定してもよい。また、第１無線周波数帯域の信号の受信状態に関する情報として、第１基地局２の周辺にある全ての第２基地局３から得られる情報を用いてもよいし、移動局１が所属するセルと同じ周波数帯域を使用している別のセルの第２基地局３から得られる情報に絞ってもよい。また、第１無線周波数帯域が割り当てられる移動局１として、任意の移動局を選択してもよいし、セルの端にいる移動局やセクタの端にいる移動局を選択してもよい。
【００２１】
移動局の上りリンク信号の送信電力や、基地局における移動局からの上りリンク信号のＣＩＮＲの値に基づいて、移動局がセルの端やセクタの端にいることを推測することができる。移動局から通知されるＧＰＳ（Ｇｌｏｂａｌ  Ｐｏｓｉｔｉｏｎｉｎｇ  Ｓｙｓｔｅｍ、全地球測位システム）の位置情報を用いることによって、移動局の位置を推測することができる。移動局が周辺の基地局からのパイロット信号を受信するときの受信電力に基づいて、移動局がセルの端にいることを推測することができる。基地局のアレイアンテナを利用して角度を推定することによって、移動局の位置を推測することができる。また、第１基地局２が、第１無線周波数帯域が割り当てられる移動局１を選択し、制御装置４へ第１無線周波数帯域の干渉波としての影響を測定するように要求を出すようにしてもよい。あるいは、制御装置４が、各基地局から移動局の位置を推定する上述した各種情報を取得し、この情報に基づいて適当な移動局１を選択するようにしてもよい。
【００２２】
移動局、基地局および制御装置として、例えば、ＯＦＤＭを伝送方式とするＦＦＲ方式の移動局、基地局および制御装置を用いることができる。以下、第２実施例として、ＯＦＤＭ方式においてＦＦＲ方式を採用する移動局、基地局および制御装置について説明する。
【００２３】
（第２実施例）
・基地局の構成
図３は、第２実施例の基地局を示す説明図である。図３に示すように、基地局５は、プロファイルリスト５１、記憶部５２、スケジューラ部５３、マップ生成部５４および変調部５５を備えている。プロファイルリスト５１は、自局のセルに所属する各移動局の情報を格納する。移動局の情報として、例えば、送信電力や受信品質の情報が挙げられる。また、受信品質の情報として、例えばＣＩＮＲの値が挙げられる。
【００２４】
基地局５は、プロファイルリスト５１に格納されている、各移動局の送信電力および受信品質の情報を参照し、所定の閾値よりも送信電力が高く、かつ受信品質が悪い移動局の有無を確認する。そして、基地局５は、該当する移動局が存在する場合、その移動局を測定の対象の候補に選択し、制御装置へ測定の要求を送信する。この測定の要求には、測定の対象の候補にされた移動局のＩＤ（識別情報）の情報、無線周波数帯域を再使用する間隔の情報、および測定の対象の候補にされた移動局が所属するセルもしくはセクタのＩＤの情報が含まれる。また、プロファイルリスト５１は、制御装置から通知された情報を格納する。制御装置から通知される情報として、例えば、測定の対象にされた移動局が周辺の基地局に与える干渉量を集計した情報が挙げられる。干渉量を集計した情報として、例えば、測定の対象にされた移動局の送信電力の補正値が挙げられる。
【００２５】
記憶部５２は、制御装置から通知された情報を記憶する。制御装置から通知される情報として、例えば、測定の対象にされた移動局のＩＤの情報および第１無線周波数帯域の情報が挙げられる。スケジューラ部５３は、記憶部５２に記憶されている、測定の対象にされた移動局の上りリンク信号の帯域に第１無線周波数帯域が割り当てられるように、各移動局のマップ情報、変調方式および符号化率を決定する。スケジューラ部５３は、プロファイルリスト５１に格納されている、測定の対象にされた移動局の干渉量を集計した情報に基づいて、測定の対象にされた移動局の変調方式および符号化率、並びに同一無線周波数帯域を再使用する場合の間隔を決定する。また、スケジューラ部５３は、プロファイルリスト５１を更新する。
【００２６】
マップ生成部５４は、スケジューラ部５３により決定されたマップ情報、変調方式および符号化率に基づいて、各移動局の帯域割り当て情報を含む報知情報を作成する。変調部５５は、マップ生成部５４により作成された報知情報、下りデータの情報、プリアンブル生成部５６により作成されたプリアンブルの情報、およびパイロット生成部５７により作成されたパイロットシンボルに対して変調処理を行う。プリアンブルの情報には、セルもしくはセクタのＩＤの情報が含まれる。変調部５５により変調処理された信号は、マッピング部５８、ＩＦＦＴ（逆フーリエ変換部）５９、ＤＡＣ（デジタルアナログ変換部）６０、増幅器６１および共用部６２を介してアンテナ６３から送信される。
【００２７】
また、基地局５は、測定部６４を備えている。測定部６４は、スケジューラ部５３から、測定の対象にされた移動局のＩＤの情報および干渉領域の情報を受け取る。干渉領域の情報には、例えば第１無線周波数帯域の情報が含まれている。測定部６４は、自セルにいる移動局と第２無線周波数帯域を使用して無線通信する状態のとき、すなわち基地局５が上記第１実施例の第２基地局３に相当するときに、アンテナ６３により干渉波として受信され、共用部６２、増幅器６５、ＡＤＣ（アナログデジタル変換部）６６、ＦＦＴ（フーリエ変換部）６７およびデマッピング部６８を経由して送られてきた第１無線周波数帯域の信号の受信状態を測定する。測定部６４は、その測定結果を、測定の対象にされた移動局が与える干渉量の情報として制御装置へ通知する。その際、測定部６４は制御装置へ、測定結果が所定の閾値以上である場合に通知するようにしてもよいし、常時、通知するようにしてもよい。測定の対象にされた移動局の干渉量の情報として、例えば受信電力が挙げられる。
【００２８】
基地局５が上記第１実施例の第２基地局３に相当するとき、アンテナ６３により受信された第２無線周波数帯域の信号は、デマッピング部６８から復調部６９へ送られ、復調部６９により上りデータに復調される。基地局５が、測定の対象にされた移動局から第１無線周波数帯域の上りリンク信号を受信する状態にあるとき、すなわち基地局５が上記第１実施例の第１基地局２に相当するときには、第１無線周波数帯域の上りリンク信号は、デマッピング部６８から復調部６９へ送られ、復調部６９により上りデータに復調される。基地局５と制御装置との間は、有線による通信回線で結ばれていてもよい、無線による通信回線で結ばれていてもよい。
【００２９】
・制御装置の構成
図４は、第２実施例の制御装置を示す説明図である。図４に示すように、制御装置７は、記憶部７１、選択部７２および推定部７３を備えている。記憶部７１は、各基地局５から送られてきた測定の要求に含まれる情報を記憶する。基地局５から送られてくる情報として、例えば、測定の要求を送信してきた基地局のＩＤの情報、測定の対象の候補にされた移動局のＩＤの情報、無線周波数帯域を再使用する間隔の情報、および測定の対象の候補にされた移動局が所属するセルもしくはセクタのＩＤの情報が挙げられる。選択部７２は、記憶部７１に記憶されている情報に基づいて、次に測定の対象にする移動局を任意に選択し、無線周波数帯域を再使用する間隔の情報およびセルもしくはセクタのＩＤの情報に基づいて第１無線周波数帯域を決定する。そして、選択部７２は、測定の対象にされた移動局のＩＤの情報および第１無線周波数帯域の情報を、測定の対象にされた移動局が所属するセルの基地局（前記第１基地局２に相当する基地局）およびその周辺のセルの基地局（前記第２基地局３に相当する基地局）に通知する。
【００３０】
推定部７３は、選択部７２から、測定の対象にされた移動局のＩＤの情報、無線周波数帯域を再使用する間隔の情報およびセルもしくはセクタのＩＤの情報を受け取る。推定部７３は、測定の対象にされた移動局が所属するセルの周辺の各セルの基地局から、測定の対象にされた移動局が与える干渉量の情報を取得し、測定の対象にされた移動局が所属するセルの基地局へ、干渉量を集計した情報を通知する。例えば、推定部７３は、測定の対象にされた移動局が所属するセルもしくはセクタと同じ周波数帯域を使用している周辺のセルもしくはセクタから干渉量の情報を取得し、取得した干渉量の情報の中から最大値を選択する。推定部７３は、その干渉量の最大値が所定の値よりも大きい場合、測定の対象にされた移動局の送信電力が小さくなるように送信電力の補正値を設定する。また、推定部７３は、干渉量の最大値が所定の値よりも小さい場合、測定の対象にされた移動局の送信電力が大きくなるように送信電力の補正値を設定してもよい。推定部７３は、その補正値を、測定の対象にされた移動局が所属するセルの基地局へ通知する。
【００３１】
・移動局の構成
図５は、第２実施例の移動局を示す説明図である。図５に示すように、移動局８は、取得部８１、解析部８２、変調部８３および上り回線の増幅器８４を備えている。取得部８１は、アンテナ８５により受信され、共用部８６、増幅器８７、ＡＤＣ８８およびＦＦＴ８９を経由して送られてきた下りリンク信号から上りのスケジューリングの情報を取得する。解析部８２は、取得部８１により得られた上りのスケジューリングの情報を解析して上りの送信電力の情報、上りのマップ情報、上りの変調方式および符号化率の情報を取り出す。
【００３２】
変調部８３は、解析部８２により得られた上りの変調方式および符号化率の情報に基づいて、上りデータおよび制御情報に対して変調処理を行う。制御情報には、例えば、下りリンク信号の受信品質の情報が含まれる。増幅器８４は、解析部８２により得られた上りの送信電力の情報に基づいて上りリンク信号の送信電力を制御する。変調部８３により変調処理された信号、およびパイロット生成部９０により作成されたパイロットシンボルは、上りのマップ情報に基づいてマッピング部９１によりマッピングされ、ＩＦＦＴ９２、ＤＡＣ９３、増幅器８４および共用部８６を介してアンテナ８５から送信される。また、アンテナ８５により受信された信号は、ＦＦＴ８９からデマッピング部９４を介して復調部９５へ送られ、復調部９５により下りデータおよび報知情報に復調される。
【００３３】
・基地局が第１無線周波数帯域の信号を受信したときの処理手順
図６は、第２実施例の基地局が第１無線周波数帯域の信号を受信したときの処理手順を示す説明図である。図６に示すように、まず、基地局５は、第１無線周波数帯域の情報、および制御装置７から測定の対象に選択された移動局８のＩＤの情報を取得する（ステップＳ１１）。次いで、基地局５は、測定の対象にされた移動局８が自セルに所属するか否かを判断する（ステップＳ１２）。
【００３４】
測定の対象にされた移動局８が自セルに所属する場合（ステップＳ１２：Ｙｅｓ）、基地局５は、測定の対象にされた移動局８の上りリンク信号に第１無線周波数帯域が割り当てられるようにスケジューリングを行う。そして、基地局５は、測定の対象にされた移動局８、および自セルに所属するその他の移動局へ、そのスケジューリングの情報を報知する（ステップＳ１３）。それによって、基地局５のセルに所属する各移動局（測定の対象にされた移動局８を含む）は、報知されたスケジューリングの情報を受信し、そのスケジューリングの情報に基づいて無線周波数帯域の割り当てを行う。測定の対象にされた移動局８は、基地局へ第１無線周波数帯域の上りリンク信号を送信する。基地局５は、第１無線周波数帯域の上りリンク信号を受信する（ステップＳ１４）。そして、基地局５は、第１無線周波数帯域の受信状態を記録する。例えば、基地局５は、第１無線周波数帯域の受信状態として、第１無線周波数帯域の受信電力またはＣＩＮＲを測定し、その測定値をプロファイルリスト５１に記録する（ステップＳ１５）。
【００３５】
一方、測定の対象にされた移動局８が自セルに所属しない場合（ステップＳ１２：Ｎｏ）、基地局５は、自セルに所属する移動局に、第１無線周波数帯域と異なる第２無線周波数帯域が割り当てられるようにスケジューリングを行う。そして、基地局５は、自セルに所属する移動局へ、そのスケジューリングの情報を報知する（ステップＳ１６）。それによって、基地局５のセルに所属する各移動局は、報知されたスケジューリングの情報を受信し、そのスケジューリングの情報に基づいて無線周波数帯域の割り当てを行う。基地局５は、第１無線周波数帯域の信号を受信すると（ステップＳ１７）、その受信状態を測定し、第１無線周波数帯域の受信状態を制御装置へ通知する（ステップＳ１８）。例えば、基地局５は、第１無線周波数帯域の受信状態として受信電力を測定し、その測定結果が所定の閾値以上であるときに、測定の対象にされた移動局８が与える干渉量の情報として制御装置へ通知する。
【００３６】
・制御装置が第１無線周波数帯域の受信状態を取得したときの処理手順
図７は、第２実施例の制御装置が第１無線周波数帯域の受信状態を取得したときの処理手順を示す説明図である。図７に示すように、まず、制御装置７は、測定の対象にされた移動局８が所属するセルの周辺の各セルの基地局５から第１無線周波数帯域の受信状態をセルもしくはセクタごとに取得する。例えば、制御装置７は、各基地局５から、第１無線周波数帯域の受信電力を、測定の対象にされた移動局８が与える干渉量の情報として取得する（ステップＳ２１）。次いで、制御装置７は、測定の対象にされた移動局８の、同一無線周波数帯域を再使用する場合の間隔が第１距離であるか否かを判断する（ステップＳ２２）。ここで、同一無線周波数帯域を再使用する場合の間隔には、第１距離と第２距離があり、第１距離＜第２距離であるとする。
【００３７】
測定の対象にされた移動局８の、同一無線周波数帯域を再使用する場合の間隔が第１距離である場合（ステップＳ２２：Ｙｅｓ）、制御装置７は、ステップＳ２１で取得した第１無線周波数帯域の受信状態のうち、測定の対象にされた移動局８が所属するセルもしくはセクタに隣接するセルもしくはセクタに対するものの中から、最大値ＩMAXを取得する（ステップＳ２３）。そして、制御装置７は、この最大値ＩMAXが第１距離における許容値Ｌ1以下であるか否かを判断する（ステップＳ２４）。
【００３８】
ＩMAX≦Ｌ1である場合（ステップＳ２４：Ｙｅｓ）、制御装置７は、測定の対象にされた移動局８の送信電力の補正値を＋αｄＢとする（ステップＳ２５）。ＩMAX＞Ｌ1である場合（ステップＳ２４：Ｎｏ）、制御装置７は、測定の対象にされた移動局８の送信電力の補正値を−（ＩMAX−Ｌ1）ｄＢとする（ステップＳ２６）。
【００３９】
一方、測定の対象にされた移動局８の、同一無線周波数帯域を再使用する場合の間隔が第１距離でない場合、すなわち第２距離である場合（ステップＳ２２：Ｎｏ）、制御装置７は、ステップＳ２１で取得した第１無線周波数帯域の受信状態のうち、測定の対象にされた移動局８が所属するセクタのセルに隣接するセルの対応するセクタに対するものの中から、最大値ＩMAXを取得する（ステップＳ２７）。そして、制御装置７は、この最大値ＩMAXが第２距離における許容値Ｌ2以下であるか否かを判断する（ステップＳ２８）。
【００４０】
ＩMAX≦Ｌ2である場合（ステップＳ２８：Ｙｅｓ）、制御装置７は、測定の対象にされた移動局８の送信電力の補正値を＋βｄＢとする（ステップＳ２９）。ＩMAX＞Ｌ2である場合（ステップＳ２８：Ｎｏ）、制御装置７は、測定の対象にされた移動局８の送信電力の補正値を−（ＩMAX−Ｌ2）ｄＢとする（ステップＳ３０）。そして、制御装置７は、ステップＳ２５、ステップＳ２６、ステップＳ２９またはステップＳ３０で求めた送信電力の補正値を、干渉量を集計した情報として、測定の対象にされた移動局８が所属するセルの基地局５へ通知する（ステップＳ３１）。
【００４１】
・基地局が干渉量を集計した情報を取得したときの処理手順
図８は、第２実施例の基地局が干渉量を集計した情報を取得したときの処理手順を示す説明図である。この処理を行う基地局は、測定の対象にされた移動局８が所属するセルの基地局である。図８に示すように、まず、基地局５は、制御装置７から干渉量を集計した情報として、測定の対象にされた移動局８の送信電力の補正値を取得する（ステップＳ４１）。次いで、基地局５は、ステップＳ４１で取得した送信電力の補正値に基づいて、測定の対象にされた移動局８の送信電力を修正した後の受信状態を予測する。例えば、基地局５は、プロファイルリスト５１に格納されている、測定の対象にされた移動局８のＣＩＮＲの情報を参照し、このＣＩＮＲの値に、ステップＳ４１で取得した送信電力の補正値を加算して、測定の対象にされた移動局８の送信電力を修正した後のＣＩＮＲの予測値を得る（ステップＳ４２）。次いで、基地局５は、測定の対象にされた移動局８の、同一無線周波数帯域を再使用する場合の間隔が第１距離であるか否かを判断する（ステップＳ４３）。
【００４２】
測定の対象にされた移動局８の、同一無線周波数帯域を再使用する場合の間隔が第１距離である場合（ステップＳ４３：Ｙｅｓ）、基地局５は、ステップＳ４２で取得したＣＩＮＲの予測値が第１距離における最大の閾値よりも小さいか否かを判断する（ステップＳ４４）。ＣＩＮＲの予測値が第１距離における最大の閾値よりも小さい場合（ステップＳ４４：Ｙｅｓ）、基地局５は、測定の対象にされた移動局８の、同一無線周波数帯域を再使用する場合の間隔を第１距離のままとする。ＣＩＮＲの予測値が第１距離における最大の閾値以上である場合（ステップＳ４４：Ｎｏ）、基地局５は、測定の対象にされた移動局８の、同一無線周波数帯域を再使用する場合の間隔を第２距離に変更する（ステップＳ４５）。
【００４３】
一方、測定の対象にされた移動局８の、同一無線周波数帯域を再使用する場合の間隔が第１距離でない場合、すなわち第２距離である場合（ステップＳ４３：Ｎｏ）、基地局５は、ステップＳ４２で取得したＣＩＮＲの予測値が第２距離における最小の閾値よりも大きいか否かを判断する（ステップＳ４６）。ＣＩＮＲの予測値が第２距離における最小の閾値よりも大きい場合（ステップＳ４６：Ｙｅｓ）、基地局５は、測定の対象にされた移動局８の、同一無線周波数帯域を再使用する場合の間隔を第２距離のままとする。ＣＩＮＲの予測値が第２距離における最小の閾値以下である場合（ステップＳ４６：Ｎｏ）、基地局５は、測定の対象にされた移動局８の、同一無線周波数帯域を再使用する場合の間隔を第１距離に変更する（ステップＳ４７）。そして、基地局５は、スケジューラ部５３にあるＭＣＳ（Ｍｏｄｕｌａｔｉｏｎ  ａｎｄ  Ｃｏｄｉｎｇ  Ｓｃｈｅｍｅ）テーブルを参照し、測定の対象にされた移動局８の、同一無線周波数帯域を再使用する場合の間隔およびＣＩＮＲの予測値に基づいて、上りリンク信号の変調方式および符号化率を選択する（ステップＳ４８）。
【００４４】
・ＭＣＳテーブルの一例
図９は、第２実施例のＭＣＳテーブルの一例を示す説明図である。図９に示す例では、ＣＩＮＲ≦３ｄＢであるときには、変調方式はＱＰＳＫ（Ｑｕａｄｒａｔｕｒｅ  Ｐｈａｓｅ  Ｓｈｉｆｔ  Ｋｅｙｉｎｇ）であり符号化率は１／２である。また、３ｄＢ＜ＣＩＮＲ≦６ｄＢであるときには、変調方式はＱＰＳＫであり符号化率は３／４である。なお、図９に示す例に限らない。
【００４５】
・移動局の上りリンクの制御例
図１０は、第２実施例の補正前のプロファイルリストの一例を示す説明図である。図１１は、第２実施例の補正後のプロファイルリストの一例を示す説明図である。これらの図において、ＣＩＮＲ１およびＣＩＮＲ２は、それぞれ同一無線周波数帯域を再使用する場合の間隔が第１距離および第２距離である場合のＣＩＮＲの値である。例えば図１０に示すように、ＩＤが＃１である移動局のＣＩＮＲ１およびＣＩＮＲ２がそれぞれ３ｄＢおよび１７ｄＢであり、同一無線周波数帯域を再使用する場合の間隔が第２距離であるとする。この場合、図９に示すＭＣＳテーブルより、変調方式および符号化率は、６４ＱＡＭ（Ｑｕａｄｒａｔｕｒｅ  Ａｍｐｌｉｔｕｄｅ  Ｍｏｄｕｌａｔｉｏｎ）で１／２である。例えば図１１に示すように、送信電力の補正値が＋３ｄＢであるとすると、ＣＩＮＲ１の予測値およびＣＩＮＲ２の予測値は、それぞれ６ｄＢおよび２０ｄＢとなる。ＣＩＮＲ２の予測値が第２距離における最小の閾値よりも大きいとすると、補正後においても同一無線周波数帯域を再使用する場合の間隔は第２距離である。また、図９に示すＭＣＳテーブルより、変調方式および符号化率は、６４ＱＡＭで３／４となる。
【００４６】
ＩＤが＃２である移動局については、例えば図１０に示すように、ＣＩＮＲ１およびＣＩＮＲ２がそれぞれ５ｄＢおよび１８ｄＢであり、同一無線周波数帯域を再使用する場合の間隔が第１距離であるとする。この場合、図９に示すＭＣＳテーブルより、変調方式および符号化率は、ＱＰＳＫで１／２である。例えば図１１に示すように、送信電力の補正値が−３ｄＢであるとすると、ＣＩＮＲ１の予測値およびＣＩＮＲ２の予測値は、それぞれ２ｄＢおよび１５ｄＢとなる。ＣＩＮＲ１の予測値が第１距離における最大の閾値以上であるとすると、補正後においては、同一無線周波数帯域を再使用する場合の間隔は第２距離となる。また、図９に示すＭＣＳテーブルより、変調方式および符号化率は、１６ＱＡＭで３／４となる。
【００４７】
（第３実施例）
第３実施例は、基地局が制御装置を兼ねている例である。この場合の基地局は、第１実施例において述べた第３基地局に相当する。
【００４８】
・基地局の構成
図１２は、第３実施例の基地局を示す説明図である。図１２に示すように、基地局１０５は、図３に示す第２実施例の基地局５の構成に、図４に示す第２実施例の制御装置７の構成（記憶部７１、選択部７２および推定部７３）を追加した構成を有する。第３実施例の基地局１０５では、測定の対象にされた移動局のＩＤの情報および第１無線周波数帯域の情報を記憶する記憶部（図３の記憶部５２）は設けられていない。スケジューラ部５３は、選択部７２から、測定の対象にされた移動局のＩＤの情報および第１無線周波数帯域の情報を取得する。基地局１０５が第１実施例の第１基地局２または第２基地局３に相当する場合、基地局１０５が第１無線周波数帯域の信号を受信したときの処理手順、および基地局１０５が干渉量を集計した情報を取得したときの処理手順は、それぞれ図６および図８に示すとおりである。また、基地局１０５が他の基地局から第１無線周波数帯域の受信状態を取得したときの処理手順は、図７に示すとおりである。
【００４９】
（第４実施例）
第４実施例は、制御装置が、各基地局から各移動局の受信品質の情報を取得して測定の対象とする移動局を選択する例である。この場合、基地局は、制御装置へ測定の要求を出さない。
【００５０】
・制御装置の構成
図１３は、第４実施例の制御装置を示す説明図である。図１３に示すように、制御装置１０７は、図４に示す第２実施例の制御装置７の構成に、記録部１７１および決定部１７２を追加した構成を有する。第４実施例の制御装置１０７では、測定の要求に含まれる情報を記憶する記憶部（図４の記憶部７１）は設けられていない。制御装置１０７は、各基地局から各移動局の情報を取得する。記録部１７１は、各移動局の情報を記録する。各移動局の情報としては、例えば、送信電力やＣＩＮＲの値や位置情報などの情報が挙げられる。決定部１７２は、記録部１７１に記録されている移動局の情報に基づいて、例えば、セルの端やセクタの端にいる移動局から順に優先度を決定する。選択部７２は、決定部１７２から通知された優先度に基づいて、測定の対象とする移動局を選択し、測定の対象に選択された移動局のＩＤの情報および第１無線周波数帯域の情報を、測定の対象にされた移動局が所属するセルの基地局（第１実施例の第１基地局２に相当する基地局）およびその周辺のセルの基地局（第１実施例の第２基地局３に相当する基地局）に通知する。制御装置１０７が基地局から第１無線周波数帯域の受信状態を取得したときの処理手順は、図７に示すとおりである。また、基地局が第１無線周波数帯域の信号を受信したときの処理手順、および基地局が干渉量を集計した情報を取得したときの処理手順は、それぞれ図６および図８に示すとおりである。
【００５１】
実施の形態によれば、測定の対象に選択された移動局に第１無線周波数帯域が割り当てられ、その他の移動局には、第１無線周波数帯域と異なる第２無線周波数帯域が割り当てられる。従って、測定の対象にされた移動局が所属するセルの基地局以外の基地局は、第１無線周波数帯域の信号を受信すると、干渉波であることを認識し、その干渉の程度を制御装置や、制御装置を兼ねた別の基地局へ通知することができる。制御装置や、制御装置を兼ねた別の基地局がその干渉の程度の通知に基づいて、測定の対象にされた移動局の送信電力を制御することによって、測定の対象にされた移動局の実際の上りリンク信号の干渉の程度に基づいて、セル間の干渉を制御することができる。また、測定の対象にされた移動局の送信電力の補正値を求め、その補正値に基づいて受信品質を予測し、上りリンク信号の変調方式や符号化率を制御することによって、上りリンク資源のスケジューリングを行うことができる。
【００５２】
上述した実施の形態に関し、さらに以下の付記を開示する。
【００５３】
（付記１）基地局として用いられる無線通信装置において、該無線通信装置に隣接する他の無線通信装置の配下の端末から送信された所定の無線周波数帯域の信号を受信し、受信状態を検出する受信部と、前記端末から送信される前記所定の無線周波数帯域の信号の送信電力制御を行う装置に対して、該受信状態を通知する通知部と、を備えたことを特徴とする無線通信装置。
【００５４】
（付記２）前記端末から送信される前記所定の無線周波数帯域の信号の送信電力制御を行う前記装置から通知される情報に基づいて前記端末の送信電力を制御する制御部、をさらに備え、該制御部は、前記端末の送信電力を制御した後の前記端末の上りリンク信号の受信状態を予測し、該予測に基づいて前記端末の上りリンク信号の変調方式および符号化率、並びに同一無線周波数帯域を再使用する場合の間隔を決定することを特徴とする付記１に記載の無線通信装置。
【００５５】
（付記３）前記制御部は、前記端末から送信される前記所定の無線周波数帯域の信号の送信電力制御を行う前記装置から通知される前記情報に基づいて前記端末への下りリンクを制御することを特徴とする付記１または２に記載の無線通信装置。
【００５６】
（付記４）第１無線周波数帯域の信号を受信する第１基地局と、前記第１無線周波数帯域と異なる第２無線周波数帯域の信号を送受信する第２基地局と、を制御する制御装置において、上りリンク信号の周波数帯域として前記第１無線周波数帯域が割り当てられる移動局を選択する選択部と、前記第２基地局が前記第１無線周波数帯域の信号を受信したときの受信状態に関する情報を前記第２基地局から受信する受信部と、前記受信部で受信された前記情報に基づいて前記移動局の上りリンクを制御する制御部と、前記移動局の上りリンクを制御する情報を前記第１基地局へ送信する送信部と、を備えたことを特徴とする制御装置。
【００５７】
（付記５）前記制御部は、前記移動局の送信電力を制御することを特徴とする付記４に記載の制御装置。
【００５８】
（付記６）前記制御部は、前記移動局の送信電力を制御した後の前記移動局の上りリンク信号の受信状態を予測し、該予測に基づいて前記移動局の上りリンク信号の変調方式および符号化率、並びに同一無線周波数帯域を再使用する場合の間隔を決定することを特徴とする付記５に記載の制御装置。
【００５９】
（付記７）前記選択部、前記受信部、前記制御部および前記送信部が第３基地局に設けられていることを特徴とする付記４〜６のいずれか一つに記載の制御装置。
【００６０】
（付記８）第１無線周波数帯域の上りリンク信号を送信する移動局と、前記第１無線周波数帯域の上りリンク信号を受信する第１基地局と、前記第１無線周波数帯域と異なる第２無線周波数帯域の信号を送受信する第２基地局と、前記第１基地局および前記第２基地局を制御する制御装置と、を備え、前記第２基地局は、前記第１無線周波数帯域の信号の受信状態を前記制御装置へ通知し、前記第１基地局は、前記制御装置から通知される情報に基づいて前記移動局の上りリンクを制御することを特徴とする移動通信システム。
【００６１】
（付記９）前記第１基地局は、前記制御装置から通知される情報に基づいて前記移動局の送信電力を制御することを特徴とする付記８に記載の移動通信システム。
【００６２】
（付記１０）前記第１基地局は、前記移動局の送信電力を制御した後の前記移動局の上りリンク信号の受信状態を予測し、該予測に基づいて前記移動局の上りリンク信号の変調方式および符号化率、並びに同一無線周波数帯域を再使用する場合の間隔を決定することを特徴とする付記９に記載の移動通信システム。
【００６３】
（付記１１）前記制御装置は、前記第２基地局からの通知に基づいて前記移動局の送信電力を制御することを特徴とする付記８に記載の移動通信システム。
【００６４】
（付記１２）前記制御装置は、前記移動局の送信電力を制御した後の前記移動局の上りリンク信号の受信状態を予測し、該予測に基づいて前記移動局の上りリンク信号の変調方式および符号化率、並びに同一無線周波数帯域を再使用する場合の間隔を決定することを特徴とする付記１１に記載の移動通信システム。
【００６５】
（付記１３）前記制御装置は、第３基地局に設けられていることを特徴とする付記１１または１２に記載の移動通信システム。
【００６６】
（付記１４）前記第１基地局は、前記制御装置から通知される情報に基づいて前記移動局への下りリンクを制御することを特徴とする付記８〜１３のいずれか一つに記載の移動通信システム。
【００６７】
（付記１５）移動局に第１無線周波数帯域を割り当てる第１ステップと、前記移動局から第１基地局へ前記第１無線周波数帯域の上りリンク信号を送信する第２ステップと、前記第１無線周波数帯域と異なる第２無線周波数帯域の信号を送受信する第２基地局で前記第１無線周波数帯域の信号を受信する第３ステップと、前記第２基地局の、前記第１無線周波数帯域の信号の受信状態に基づいて、前記移動局の上りリンクを制御する第４ステップと、を含むことを特徴とする無線通信方法。
【００６８】
（付記１６）前記第４ステップでは、前記第２基地局の、前記第１無線周波数帯域の上りリンク信号の受信状態に基づいて、前記移動局の送信電力を制御することを特徴とする付記１５に記載の無線通信方法。
【００６９】
（付記１７）前記第４ステップでは、前記移動局の送信電力を制御した後の前記移動局の上りリンク信号の受信状態を予測し、該予測に基づいて前記移動局の上りリンク信号の変調方式および符号化率、並びに同一無線周波数帯域を再使用する場合の間隔を決定することを特徴とする付記１６に記載の無線通信方法。
【００７０】
（付記１８）前記第２基地局の、前記第１無線周波数帯域の上りリンク信号の受信状態に基づいて、前記第１基地局の、前記移動局への下りリンクを制御する第５ステップ、をさらに含むことを特徴とする付記１５〜１７のいずれか一つに記載の無線通信方法。
【００７１】
（付記１９）移動局として用いられる無線通信装置において、上りリンク信号用に割り当てられた第１無線周波数帯域で上りリンク信号を送信する送信部と、前記第１無線周波数帯域と異なる第２無線周波数帯域の信号を送受信する基地局が前記第１無線周波数帯域の信号を受信したときの受信状態に関する情報を受信する受信部と、前記受信部で受信された前記情報に基づいて上りリンク信号の送信電力を制御する制御部と、を備えたことを特徴とする無線通信装置。
【００７２】
（付記２０）前記制御部は、前記受信部で受信された前記情報に基づいて上りリンク信号の変調方式および符号化率を制御することを特徴とする付記１９に記載の無線通信装置。
【符号の説明】
【００７３】
１  移動局、端末
２  第１基地局
３  第２基地局
４，７，１０７  制御装置
５，１０５  基地局
２１，３１，４１  送信部
２２，３２，４２  受信部
２３，４３  制御部
３４  通知部
４５  選択部
【図１】
2010161645.tif 000003
【図２】
2010161645.tif 000004
【図３】
2010161645.tif 000005
【図４】
2010161645.tif 000006
【図５】
2010161645.tif 000007
【図６】
2010161645.tif 000008
【図７】
2010161645.tif 000009
【図８】
2010161645.tif 000010
【図９】
2010161645.tif 000011
【図１０】
2010161645.tif 000012
【図１１】
2010161645.tif 000013
【図１２】
2010161645.tif 000014
【図１３】
2010161645.tif 000015